(57)【要約】【課題】電柱上などに設けられている電路を開閉するために開閉部をケース内に密閉状態に収納させているケース入り開閉器において、開閉器が内部短絡事故を発生した場合に、内部圧力の上昇により、ケースが破損しないように上昇した内部圧力を安全に開閉器外部へ放出させるための安価な放圧装置を提供する。【解決手段】ケース内に開閉部を密閉状態に収納しているケース入り開閉器の放圧装置において、上記ケースを貫通させて放圧口を設け、該放圧口をシート部材にて密閉させていることを特徴とする開閉器の放圧装置である。【選択図】  図１
2004355964.tif 000002
【特許請求の範囲】
【請求項１】
ケース内に開閉部を密閉状態に収納しているケース入り開閉器の放圧装置において、
上記ケースを貫通させて放圧口を設け、
さらに該放圧口がシート部材にて密閉されていることを特徴とするケース入り開閉器の放圧装置
【発明の詳細な説明】
【０００１】
【発明の属する技術分野】
本発明は、高圧配電線路などの電路を開閉するために使用されるケース内に開閉部を密閉状態に収納させているケース入り開閉器の放圧装置の改良に関するものである。
【０００２】
【従来の技術】
高圧配電線路には、配電線路の電路を開閉するために開閉部をケース内に密閉状態に収納させているケース入り開閉器が電柱上などに設けられている。
上記開閉器においては、開閉器の内部で短絡事故が発生した場合に、内部圧力の上昇により、ケースが破損しないように上昇した内部圧力を安全に開閉器外部へ放出させるための放圧装置が設けられている。（例えば、特許文献１参照。）
【０００３】
【特許文献１】
実公平２−９４８３号公報（第２頁、第１図）
【０００４】
【発明が解決しようとする課題】
最近の傾向として、開閉器が小型化されてきており、放圧装置もスペースを取らず、かつ安価なものが望まれている。
本発明は、スペースを取らない安価なケース入り開閉器の放圧装置を提供することにある。
【０００５】
【課題を解決するための手段】
上記目的を達成するために本発明は、
ケース内に開閉部を密閉状態に収納しているケース入り開閉器の放圧装置において、上記ケースを貫通させて放圧口を設け、さらに該放圧口がシート部材にて密閉されていることを特徴とする開閉器の放圧装置である。
【０００６】
【発明の実施の形態】
本発明の実施例を図を用いて説明する。
図１に示すように、底面が開口している金属製の本体ケース３０の側面３０ａ、３０ｂには、本体ケース３０を貫通して、中心部に配電線路の電線等に接続される導電体２０、２１が設けられている磁器又は樹脂からなるブッシング１８、１９が、図示されていないネジにてフランジ４０によりパッキン等の弾性部材３５を介して止着されている。
なお導電体２０、２１は図示されていないパッキン等の弾性部材を介してナット５０にてブッシング１８、１９に止着されている。
【０００７】
本体ケース３０内側の導電体２０の端面２０ａには固定電極部が形成されており、
導電体２０の端面２０ａを挟持するように１対の固定接触子１１が、固定接触子１１の接触面１１ａを導電体２０の軸方向の延長線上になるように配置されて、ピン４１、４２により回転しないように導電体２０の端面２０ａに装着されている。
【０００８】
固定接触子１１の外側には、アークホーン１６ａを設けた接圧板１６がピン４１に装着されている。
また後述する可動接触子１２の挿入時に、固定接触子１１の接触面１１ａ及び固定接触子１１と引出棒２０の当接面の両方に通電に必要な押圧を発生させるための図示されていない接圧バネがピン４１に設けられている。
【０００９】
なお可動接触子１２挿入時のチャタリングを抑制するために、固定接触子１１の接触面１１ａには絶縁性の樹脂からなるスペーサ１３がネジ着されており、可動接触子１２非挿入時に、可動接触子１２の厚みより少し狭い隙間を対向している固定接触子１１の接触面１１ａ間に設けさせている。
【００１０】
また固定接触子１１を収納するように消弧室２２が消弧室取付金具１４にネジ着されており、
消弧室２２の外側には、ゴムなどの絶縁性の合成樹脂からなる固定電極カバー２３がブッシング１８の内側外周面１８ｂ、凹部１８ｃと消弧室２２の外周部２２ａに密着嵌合されるようにして装着されている。
【００１１】
また本体ケース３０内側の導電体２１の端面２１ａには、可動接触子１２がピン３９にて回転可能に支持されている。
なお導電体２１と可動接触子１２の当接面に適正な押圧が発生できるようにピン３９には図示されていない接圧バネが設けられている。
【００１２】
さらに可動接触子１２及び導電体２１の端面２１ａを覆うようにゴムなどの絶縁性の合成樹脂からなる可動電極カバー２４がブッシング１９の内側外周面１９ｂ及び凹部１９ｃに密着嵌合されるようにして装着されている。
【００１３】
３２は、開閉器１の図示されていない開閉機構部に連結されている開閉駆動軸であり、絶縁性の合成樹脂からなる連結リンク３３を介して可動接触子１２と連結されており、開閉器１の外部に設けられている図示されていないハンドル操作に連動して可動接触子１２がピン３９を中心に回動して固定接触子１１に接離して、配電線路の電路を開閉する構造になっている。
【００１４】
開閉器１内部には零相電流、相電流を検出するためのＺＣＴ４３、ＣＴ４４がブッシング１８、１９にゴム等の絶縁性の合成樹脂からなるＺＣＴ固定具４５、ＣＴ固定具４６により止着されている。
ＺＣＴ４３、ＣＴ４４の信号出力は、本体ケース３０を貫通して止着されている図示されていない制御線を介して外部に設けられている図示されていない継電器等の制御機器へ送られるようになっている。
【００１５】
また開閉器１の内部には、本体ケース３０或いは後述する蓋３１に止着されている絶縁性の合成樹脂からなる内部絶縁箱２５と蓋側絶縁箱２６が、各相の間や、本体ケース３０側面、蓋３１との間を隔壁させるように設けられており、開閉器１内部の絶縁性能を向上させるようになっている。
【００１６】
本体ケース３０の上面３０ｃには電柱に設けられている腕金などに開閉器１を固定するための装柱金具３４が固着されており、
本体ケース３０の底面開口部には、本体ケース３０内部を密閉状態にするように蓋３１が溶接により止着されている。
【００１７】
蓋３１には図２に示すように、開閉器１の内部短絡時に本体ケース３０が耐えられる強度以上に内部圧力を上昇させないようにするために、短絡電流により上昇した内部圧力を本体ケース３０外部へ放出させる放圧口５０が設けられている。
【００１８】
放圧口５０は図２（ｃ）に示すように複数の孔３１ａで構成されており、
放圧口５０の開口面積、即ち複数の孔３１ａの合計面積は本体ケース３０が耐えられる内部圧力以下になるように、内部短絡により上昇する圧力を外部へ放出させるために必要な開口面積以上を確保させている。
【００１９】
放圧口５０の蓋３１内側面３１ｂには、熱可塑性の合成樹脂、薄い金属箔などからなる透明或いは着色された薄板又は薄膜形状のシート部材５１が貼着されており、
シート部材５１により放圧口５０部分が密閉され、平常時の開閉器１内部の気密性を保つようになっている。
【００２０】
なお放圧口５０を形成している孔３１ａの形状、個数については、本目的を達成するものであれば本実施例に限定されるものではなく、
例えば孔形状を多角形、楕円などの形状にすることもでき、個数についても、直径の小さい小孔を多数個設けても良いし、直径の大きい孔を１個設けるようにしてもよく、さらに放圧口５０を複数の箇所に分散させて設けるようにしてもよい。
【００２１】
またシート部材５１に蛍光部材、反射部材を塗布などの方法により付着或いは混合させることにより、地上より放圧有無の状況を夜間等の暗い場合においても容易に目視確認できるようにすることができる。
【００２２】
またさらに本実施例では放圧口５０は蓋３１に設けられているが、放圧口５０は本体ケース３０の側壁面に設けることもできる。
本体ケース３０と蓋３１の止着手段についても本実施例では溶接させているが、パッキンを介してネジ着させるような構造にしてもよく、
本体ケース３０及び蓋３１をエポキシ樹脂などの絶縁性或いは導電性の合成樹脂にて製作してもよい。
【００２３】
次に放圧口５０の動作について説明する。
開閉器１に雷サージ等により内部短絡事故が発生すると、短絡時のアークにより電極などの内部使用部材が溶損して内部圧力が異常に上昇する。
この時、上昇した内部圧力或いはアーク熱により放圧口５０に貼着されているシート部材５１が破損或いは溶解して孔３１ａが開口する。
【００２４】
そして開口した孔３１ａを通って内部の上昇した圧力が外部へ放出されて内部圧力の上昇が抑えられるため、本体ケース３０の強度以上に内部圧力が上昇することがなく、本体ケース３０が破損することが防止される。
更にこの時孔３１ａの直径より大きい内部部材が開閉器１より外部に飛散することがないため、公衆災害となる飛散物の発生がない。
【００２５】
またシート部材５１に蛍光部材、反射部材を塗布などにより付着させることにより、夜間等の暗い場合においても、地上より放圧状況を容易に目視確認することもできる。
【００２６】
このように簡素な構造であるため、放圧装置を安価に製作できるとともに、放圧装置自体のスペースを少なくすることができるため、開閉器を小型にすることが可能である。
【００２７】
本発明は、地中配電線路に使用される１つのケース内に複数の開閉部を収納させている多回路開閉器など、本目的に使用される全ての機器に使用することができる。
【００２８】
【発明の効果】
以上のように本発明の放圧装置により、内部短絡事故発生時の上昇圧力を安全に開閉器外部へ放圧させることができる。
開閉器の放圧構造が簡素になり、開閉器を安価にできる。
また平常時はシート部材により放圧口が密閉されているため、開閉器内部の部品に錆が発生するなどの不具合を発生させることがない。
【図面の簡単な説明】
【図１】本発明の実施例の説明図である。
【図２】放圧装置の説明図である。
（ａ）開閉器内部側の説明図
（ｂ）断面図
（ｃ）開閉器外部側の説明図
【符号の説明】
１    開閉器
１１  固定接触子
１２  可動接触子
１８、１９  ブッシング
２０、２１  導電体
２２  消弧室
３０  本体ケース
３１  蓋
５０  放圧口
５１  シート部材
【図１】
2004355964.tif 000003
【図２】
2004355964.tif 000004